(57)【要約】      （修正有）【課題】大きな変形を抑え、安定した形状を図ることのできる液体収容型ウェイトを提供する。【解決手段】液体収容型ウェイト１は、一対のシート２を周縁部２１にて縫い合わせ、その内部空間に液体を収容することで錘となる液体収容型ウェイトであって、内部空間に吸水性ポリマーを収容している。周縁部２１に貫通孔２１１を複数有する。また、収容空間は、一方の軸における長さが２０ｃｍ以上５０ｃｍ以下の範囲にあり、他方の軸における長さが２０ｃｍ以上８０ｃｍ以下の範囲にある。【選択図】図２
0003235638.tif 000002
【実用新案登録請求の範囲】
【請求項１】
一対のシートを周縁部にて縫い合わせ、その一対のシートの間かつ前記周縁部の内側である内部空間に液体を収容することで錘となりうる液体収容型ウェイトであって、
前記内部空間に吸水性ポリマーを収容してなる液体収容型ウェイト。
【請求項２】
前記一対のシートは、水分を浸透可能な植物繊維により構成される請求項１記載の液体収容型ウェイト。
【請求項３】
前記周縁部に貫通孔を複数有する請求項１記載の液体収容型ウェイト。
【請求項４】
前記内部空間は、一方の軸における長さが２０ｃｍ以上５０ｃｍ以下の範囲にあり、
他方の軸における長さが２０ｃｍ以上８０ｃｍ以下の範囲にある請求項１記載の液体収容型ウェイト。
【請求項５】
前記一対のシートは前記内部空間を囲う糸により一筆書き様に縫い合わされており、かつ、前記貫通孔はループ状の縫い目に囲まれている請求項１記載の液体収容型ウェイト。
【考案の詳細な説明】
【技術分野】
【０００１】
本考案は、液体収容型ウェイトに関する。
【背景技術】
【０００２】
近年の災害発生時において、建物の屋根が破損した場合、この破損箇所にシートを配置し、雨漏り等が生じないようにする措置が取られる。しかしながら、この覆うためのシートは風により捲れてしまい、ひどい場合は飛んで行ってしまうこともある。
【０００３】
そのため、錘として、このシート等が動いてしまわないようにウェイトを用いることが多い。このウェイトとしては、鉛などの重い金属で構成されているものもあるが、使用時以外はコンパクトに折り畳むことのできる注水型も提案されている。例えば下記特許文献１に注水型のウェイトがある。
【先行技術文献】
【非特許文献】
【０００４】
【非特許文献１】ｈｔｔｐｓ：／／ｓｔｏｒｅ．ｓｈｏｐｐｉｎｇ．ｙａｈｏｏ．ｃｏ．ｊｐ／ｇａｒｄｅｎｙｏｕｈｉｎ／ｐｇ−１７２３６．ｈｔｍｌ？ｓｃ＿ｉ＝ｓｈｐ＿ｐｃ＿ｓｅａｒｃｈ＿ｉｔｅｍｌｉｓｔ＿ｓｈｓｒｇ＿ｉｍｇ
【考案の概要】
【考案が解決しようとする課題】
【０００５】
しかしながら、上記のように、ビニールシート等を用いる注水型のウェイトは変形が大きくなる場合が多い。例えば注水後持ち運びを行おうとする場合、液体を収容する空間下側に水が集中して配置されることとなるため、変形が大きく、ビニールシートに対する負荷が大きくなってしまうといった課題がある。これは水のように非常に形状が不確定な物質を収容する場合に大きな課題となる。また、ビニールシート等を用いる場合、水を注入するための注入口が必要となり、水をもれずにうまく充填するための作業が特に必要となる。
【０００６】
そこで、本考案は、上記課題に鑑み、大きな変形を抑え、より簡便に水を充填可能な液体収容型ウェイトを提供することを目的とする。
【課題を解決するための手段】
【０００７】
上記課題を解決する本考案の一観点に係る液体収容型ウェイトは、一対のシートを周縁部にて縫い合わせ、その一対のシートの間かつ周縁部の内側である内部空間に液体を収容することで錘となりうる液体収容型ウェイトであって、内部空間に吸水性ポリマーを収容してなるものである。
【０００８】
本観点において、限定されるわけではないが、一対のシートは、水分を浸透可能な植物繊維により構成されることが好ましい。
【０００９】
また、本観点において、限定されるわけではないが、周縁部に貫通孔を複数有することが好ましい。
【００１０】
また、本観点において、限定されるわけではないが、収容空間は、一方の軸における長さが２０ｃｍ以上５０ｃｍ以下の範囲にあり、他方の軸における長さが２０ｃｍ以上８０ｃｍ以下の範囲にあることが好ましい。
【００１１】
また、本観点において、限定されるわけではないが、一対のシートは内部空間を囲う糸により一筆書き様に縫い合わされており、かつ、貫通孔はループ状の縫い目に囲まれていることが好ましい。
【考案の効果】
【００１２】
以上、本考案によって大きな変形を抑え、より簡便に水を充填可能な液体収容型ウェイトを提供することができる。
【図面の簡単な説明】
【００１３】
【図１】実施形態に係る液体収容型ウェイトの斜視概略（液体非収容時）を示す図である。
【図２】実施形態に係る液体収容型ウェイトの斜視概略（液体収容時）を示す図である。
【図３】実施形態に係る液体収容型ウェイトの断面概略（液体収容時）を示す図である。
【図４】実施形態に係る液体収容型ウェイトの周縁部における貫通孔近傍の部分拡大図である。
【考案を実施するための最良の形態】
【００１４】
以下、本考案の実施形態について、図面を用いて詳細に説明する。ただし、本考案は多くの異なる形態による実施が可能であり、また以下に示す実施形態、実施例において記載される具体的な例示についても適宜変更及び調整が可能であり、これらに限定されるものではない。
【００１５】
図１は、実施形態に係る液体収容型ウェイト（以下「本ウェイト」という。）１が液体を収容していない状態（液体非収容時）における斜視概略を示す図であり、図２はその液体収容時における斜視概略を示す図である。また、図３は液体収容時における本ウェイトの断面の概略図であり、図４は、周縁部における貫通孔の部分拡大図である。
【００１６】
これらの図で示すように、本ウェイト１は、一対のシート２を周縁部２１にて縫い合わせ、その一対のシートの間かつ周縁部の内側である内部空間に液体を収容することで錘となりうる液体収容型ウェイトであって、内部空間内の中央近傍において、内部空間には吸水性ポリマーを収容している。
【００１７】
本ウェイト１では、上記の通り、一対のシート２が周縁部２１にて張り合わされ、一対のシート２の内側は張り合わされず空洞を形成する。この空洞が内部空間２２となり、液体を収容する部分となる。内部空間は、一対のシートの間かつ周縁部の内側に形成される空間のことをいう。
【００１８】
本ウェイト１の一対のシート２の材質は、柔軟性を有し、水を透過しやすい一方、吸水性ポリマーを内部において安定的に保持収容することができるものであれば特に限定されるわけではないが、例えば麻繊維等の植物の繊維を織ったシートであることが好ましい。このようにすることで、外部の水等が自然に内部に浸透可能であり、内部に水を注入するための注入口を設けずとも内部に水を含侵させることが可能となる。特に、内部空間には吸水ポリマーが収容されているため、この含侵した水が湿潤して膨張し、十分な厚さ、重さを確保することができるようになり、水を注入する特別な作業の手間がなくてよい。
【００１９】
本ウェイト１の一対のシート２の形状としては、限定されるわけではないが矩形であることが好ましい。矩形とすることで、平面上において隙間なく配置することが可能となる。
【００２０】
また、本ウェイト１では、周縁部２１に貫通孔２１１を複数有することが好ましい。複数の貫通孔２１１を設けることで、複数の本ウェイト１を紐などで固定しあうことや、本ウェイト１を柱等の外部設備に固定することが可能となる。
【００２１】
また、本ウェイト１の大きさは、限定されるわけではないが、収容空間は、一方の軸における長さが２０ｃｍ以上５０ｃｍ以下の範囲にあり、他方の軸における長さが２０ｃｍ以上５０ｃｍ以下の範囲にあることが好ましい。この範囲にすることで、本ウェイトに注入する液体とその変形を調整することが可能となる。この範囲とすることで、柔軟性のあるシートによる持ち運びや設置の利便性を確保することができる一方、液体の重量が大きくなりすぎ、大きく変形してしまうことを防止することが可能となる。
【００２２】
以上、本考案によって、大きな変形を抑え、安定した形状を図ることのできる液体収容型ウェイトを提供することができる。
【産業上の利用可能性】
【００２３】
本考案は、液体収容型ウェイトとして産業上の利用可能性がある。
【図１】
0003235638.tif 000003
【図２】
0003235638.tif 000004
【図３】
0003235638.tif 000005
【図４】
0003235638.tif 000006